(57)【要約】【課題】洗濯過程において、パッキン部材のベローズ部に形成された溝に異物が流入することを容易に確認し、異物を容易に取り除くとともに、異物が水と共に本体に流入する場合、異物はそのまま残して水のみを排水するためのドラム洗濯機を提供する。【解決手段】洗濯物を投入するための投入ホール１１と、前記投入ホール１１を開閉するドア５０と、を有する本体１０と；前記本体１０の内部に設置され、前記投入ホール１１に対応する開放部２１を有するタブ２０と；前記タブ２０の開放部２１と前記投入ホール１１との間の空間を密閉するパッキン部材４０と；を含み、前記パッキン部材４０は、異物が蓄積される折曲部４１と、前記折曲部４１に隣接する凹部４４と、を備えており、前記凹部４４は、前記折曲部４１に蓄積された異物を容易に取り除くために、使用者が接触可能な位置に形成されることを特徴とするドラム洗濯機を構成する。【選択図】図３
2007061602.tif 000002
【特許請求の範囲】
【請求項１】
洗濯物を投入するための投入ホールと、前記投入ホールを開閉するドアと、を有する本体と；
前記本体の内部に設置され、前記投入ホールに対応する開放部を有するタブと；
前記タブの開放部と前記投入ホールとの間の空間を密閉するパッキン部材と；
を含むドラム洗濯機において、
前記パッキン部材は、異物が蓄積される折曲部と、前記折曲部に隣接する凹部と、を備えており、
前記凹部は、前記折曲部に蓄積された異物を容易に取り除くために、使用者が接触可能な位置に形成されることを特徴とするドラム洗濯機。
【請求項２】
前記パッキン部材は、前記ドアと密着する密着部と、前記密着部から前記タブの開放部に延長される密閉部と、を含むことを特徴とする請求項１に記載のドラム洗濯機。
【請求項３】
前記折曲部は、前記密着部と前記密閉部との間に形成されることを特徴とする請求項２に記載のドラム洗濯機。
【請求項４】
前記凹部は、前記密着部に形成されることを特徴とする請求項３に記載のドラム洗濯機。
【請求項５】
前記凹部は、前記投入ホールの周りに沿って設けられた円状密着部の下部に形成されることを特徴とする請求項４に記載のドラム洗濯機。
【請求項６】
前記パッキン部材は、前記折曲部に流入した水を前記折曲部及び前記タブを通して排水するための少なくとも一つの排水ホールをさらに含むことを特徴とする請求項１に記載のドラム洗濯機。
【請求項７】
前記密着部の内径は、前記密閉部の内径より大きいか、それと同一であることを特徴とする請求項２に記載のドラム洗濯機。
【請求項８】
洗濯物を投入するための投入ホールを備えた本体と；
前記本体の内部に設置され、前記投入ホールに対応する開放部を有するタブと；
前記タブの内部に設置されるドラムと；
前記投入ホールを開閉するドアと；
を有するドラム洗濯機のパッキン部材において、
前記パッキン部材は、前記ドアと密着する密着部と、前記密着部から前記タブの開放部に延長される密閉部と、異物が蓄積される折曲部と、前記折曲部に隣接する凹部と、を含んでおり、
前記折曲部は、前記密着部と前記密閉部との間に形成されて前記ドラムの振動を吸収し、
前記凹部は、前記折曲部の内部に蓄積された異物を容易に取り除くために、使用者が接触可能な位置に形成されることを特徴とするドラム洗濯機のパッキン部材。
【請求項９】
タブ及びドラムが内部に設置された洗濯機において、
前記洗濯機は、前記タブと前記ドラムとの間の開放部に設置され、洗濯過程で蓄積された異物を洗濯物から排出するためのパッキン部材を含むことを特徴とする洗濯機。
【請求項１０】
前記パッキン部材は、洗濯物から排出された異物を内部に蓄積する折曲部と、前記タブと前記ドラムとの間の開放部を密閉する密閉部と、を含むことを特徴とする請求項９に記載の洗濯機。
【請求項１１】
前記パッキン部材は、洗濯機のドアの内部と密着する密着部をさらに含むことを特徴とする請求項１０に記載の洗濯機。
【請求項１２】
前記密着部の内径は、前記密閉部の内径より大きいか、それと同一であることを特徴とする請求項１１に記載の洗濯機。
【請求項１３】
前記パッキン部材は、蓄積された異物を使用者が取り除けるように、前記折曲部に隣接して形成された凹部をさらに含むことを特徴とする請求項１０に記載の洗濯機。
【請求項１４】
前記パッキン部材は、前記折曲部から水が排出されるように、前記パッキン部材の下部に形成された排出ホールをさらに含むことを特徴とする請求項１３に記載の洗濯機。
【請求項１５】
前記パッキン部材は、ベローズ部を含むことを特徴とする請求項９に記載の洗濯機。
【請求項１６】
前記パッキン部材は、ゴム材質からなることを特徴とする請求項９に記載の洗濯機。
【発明の詳細な説明】
【技術分野】
【０００１】
本発明は、ドラム洗濯機に関するもので、詳しくは、洗濯過程において、洗濯機の入口側を密閉するパッキン部材の隙間に流入した異物を容易に取り除けるドラム洗濯機の構造に関するものである。
【背景技術】
【０００２】
一般に、ドラム洗濯機は、外観をなす本体と、この本体の前面部を通して洗濯物を投入するための投入ホールと、前記本体の内部に固定されるタブと、このタブの内部に設置され、洗濯、濯ぎ及び脱水モードなどの洗濯行程を行うためにステップモーターによって正方向及び逆方向に回転するドラムと、前記タブとドラムとの間を通して排水するための排水ホース及び排水ポンプと、を含んでいる。
【０００３】
前記本体の投入ホールに隣接したタブの開放部と、前記本体の投入ホールとの間には、高い弾性力を有する材質からなるパッキン部材が設置され、タブの内部を密閉している。前記パッキン部材は、前記ドラムの回転によって発生する振動を吸収するためのベローズ部を含むが、このベローズ部に形成された溝には、洗濯過程で発生する異物、例えば、洗濯物から分離されたコイン、紙及び糸くずなどが水と共に侵入する。
【０００４】
しかしながら、上記のような異物が水と共にパッキン部材に形成された溝に侵入する場合、異物が見えにくくなり、かつ、パッキン部材を掃除しにくくなる。そのため、異物は、パッキン部材にそのまま残ってしまう。すると、蓄積された異物は、パッキン部材を変色させるか、タブとドラムとの間に流入して排水ポンプの詰まりを引き起こすか、洗濯機のドアを開放したときに外部に排出されるという問題点があった。
【発明の開示】
【発明が解決しようとする課題】
【０００５】
本発明は上記の問題点を解決するためになされたもので、その目的は、洗濯過程において、パッキン部材のベローズ部に形成された溝に異物が流入することを容易に確認でき、異物を容易に取り除くことができるとともに、異物が水と共に本体に流入する場合、異物はそのまま残して水のみを排水するためのドラム洗濯機を提供することにある。
【課題を解決するための手段】
【０００６】
上記の目的を達成するための本発明に係るドラム洗濯機は、洗濯物を投入するための投入ホールと、前記投入ホールを開閉するドアと、を有する本体と；前記本体の内部に設置され、前記投入ホールに対応する開放部を有するタブと；前記タブの開放部と前記投入ホールとの間の空間を密閉するパッキン部材と；を含むドラム洗濯機において、前記パッキン部材は、異物が蓄積される折曲部と、前記折曲部に隣接する凹部と、を備えており、前記凹部は、前記折曲部に蓄積された異物を容易に取り除くために、使用者が接触可能な位置に形成されることを特徴とする。
【０００７】
前記パッキン部材は、前記ドアと密着する密着部と、前記密着部から前記タブの開放部に延長される密閉部と、を含むことを特徴とする。
【０００８】
前記折曲部は、前記密着部と前記密閉部との間に形成されることを特徴とする。
【０００９】
前記凹部は、前記密着部に形成されることを特徴とする。
【００１０】
前記凹部は、前記投入ホールの周りに沿って設けられた円状密着部の下部に形成されることを特徴とする。
【００１１】
前記パッキン部材は、前記折曲部に流入した水を前記折曲部及び前記タブを通して排水するための少なくとも一つの排水ホールをさらに含むことを特徴とする。
【００１２】
前記密着部の内径は、前記密閉部の内径より大きいか、それと同一であることを特徴とする。
【００１３】
また、本発明は、洗濯物を投入するための投入ホールを備えた本体と；前記本体の内部に設置され、前記投入ホールに対応する開放部を有するタブと；前記タブの内部に設置されるドラムと；前記投入ホールを開閉するドアと；を有するドラム洗濯機のパッキン部材において、前記パッキン部材は、前記ドアと密着する密着部と、前記密着部から前記タブの開放部に延長される密閉部と、異物が蓄積される折曲部と、前記折曲部に隣接する凹部と、を含んでおり、前記折曲部は、前記密着部と前記密閉部との間に形成されて前記ドラムの振動を吸収し、前記凹部は、前記折曲部の内部に蓄積された異物を容易に取り除くために、使用者が接触可能な位置に形成されることを特徴とする。
【発明の効果】
【００１４】
本発明に係るドラム洗濯機は、洗濯過程で発生する異物がパッキン部材の折曲部に蓄積されたとき、使用者が蓄積された異物を容易に感知し、異物を取り除くことにより、蓄積された異物によってパッキン部材が汚染または変色することを防止し、動作条件を改善し、悪臭を防止できるという効果がある。
【発明を実施するための最良の形態】
【００１５】
以下、本発明に係るドラム洗濯機の好ましい実施の形態を図面に基づいて説明する。
【００１６】
図１は、本発明の一実施形態に係るドラム洗濯機を示した斜視図で、図２は、図１のドラム洗濯機におけるドアの閉鎖状態を示した断面図で、図３は、図１のＡ―Ａ線断面図である。
【００１７】
図１及び図２に示すように、ドラム洗濯機は、本体１０と、この本体１０の内部に設置されたタブ２０と、このタブ２０の内部に設置されたドラム３０と、洗濯機内部の密閉状態を維持するために、タブ２０の開放部２１と本体１０の投入ホール１１とを連結するパッキン部材と、から構成される。ここで、従来のドラム洗濯機と共通した部分に対しては、その説明を省略することにする。
【００１８】
図２に示すように、パッキン部材４０は、タブ２０の開放部２１と本体１０の投入ホール１１とを連結してタブ２０を密閉しており、このパッキン部材４０は、ゴム材質などの高い弾性力を有する材料からなる。また、パッキン部材４０は、タブ２０の開放部２１と本体１０との間にベローズ部を備えており、その一端がドア５０の内面に結合された突出部５１と密着することで、洗濯機の内部を外部から密閉している。このとき、パッキン部材４０において、ドア５０の突出部５１と密着する部分を密着部４３といい、残りの部分を密閉部４２という。
【００１９】
一方、前記パッキン部材４０のベローズ部は、洗濯物を洗濯するためにドラム３０が回転するとき、ドラム３０から発生する振動などを吸収することで、この振動がドア５０に伝達されないようにする。このようにパッキン部材４０のベローズ部が形成されることで、密閉部４２には、洗濯や脱水過程で発生する水の跳ね返りによって折曲部４１に水が集まることを防止するように、比較的大きな深さの溝を有する折曲部４１が設けられる。
【００２０】
図２及び図３に示すように、洗濯過程では、洗濯物からコイン、紙幣、紙切れ及び糸くずなどの多量の異物６０が分離されるが、この異物６０は、跳ね返った水と共に前記折曲部４１に侵入する。これら折曲部４１に侵入した異物６０及び水のうち、水は、前記折曲部４１及びタブ２０の前面を通して形成された排水ホール７０を通して外部に排水される。このように排水ホール７０を通して排出された水は、洗濯過程で排水される水と共に、排水ポンプ８０によって排水ホース８１を通して外部に排水される。前記排水ホール７０は、水を容易に排水させ、異物６０を容易に排出させない程度に小さい直径を有することが好ましい。また、前記排水ホール７０は、ドラム洗濯機の入口の周りに沿って多数個形成する必要がなく、ドラム洗濯機の入口の周りに形成されたパッキン部材４０の密閉部４２の下端部を通して、少なくとも一つが形成される。
【００２１】
一方、前記折曲部４１から水が排出された後に残った異物６０は、使用者が取り除くべきであるが、この異物６０を容易に取り除くために、前記パッキン部材４０の密着部４３に凹部４４が形成される。パッキン部材４０、正確には密着部４３に形成された凹部４４は所定の距離を有する。特に、凹部４４は、投入ホール１１の周りに沿って形成された密着部４３の下端部の所定区間のみに形成される。前記凹部４４が形成された密着部４３の区間が過度に長いと、前記密着部４３が前記ドア５０の突出部５１と堅固に密着されないので、前記凹部４４は、密着部４３の下部半円の円周より小さい区間範囲に形成される。すなわち、洗濯過程で発生する異物６０及び水は、パッキン部材４０の折曲部４１側に侵入したとき、重力によって下部に下がって折曲部４１の下端部に集まるようになる。その後、水が排水ホール７０を通して折曲部４１から排水されることで、異物６０のみが折曲部４１の下部に蓄積される。したがって、前記凹部４４は、ドラム洗濯機の入口の中心から１０゜〜３０゜程度の角度で形成される。
【００２２】
また、前記凹部４４が前記密着部４３の上端部から過度に深く形成されると、前記密着部４３と突出部５１との密着機能を確実に行えないので、前記凹部４４の上端は、前記密着部４３の下端から上端に至る距離の半分程度に形成される。
【００２３】
さらに、前記密着部４３の上端の内径は、前記密閉部４２の上端の内径と同一であるか、それより大きいが、このような構成により、洗濯過程で発生する異物６０がパッキング部材４０に侵入することを減少できる。また、このような異物６０のパッキン部材４０への侵入を減少させるために、前記密閉部４２の上端からドア５０側に突出された突出部が形成される。
【００２４】
洗濯過程で多量の異物及び水が外部から流入するが、このように異物６０がドラム３０とタブ２０との間に流入すると、排水ポンプ８０の詰まりなどの問題が発生する。それゆえ、前記タブ２０の前面は、前記密閉部４２の上端の半分以上を覆う程度の長さで形成される。
【図面の簡単な説明】
【００２５】
【図１】本発明の一実施形態に係るドラム洗濯機を示した斜視図である。
【図２】図１のドラム洗濯機におけるドアの閉鎖状態を示した断面図である。
【図３】図１のＡ―Ａ線断面図である。
【符号の説明】
【００２６】
１１  投入ホール
２１  開放部
３０  ドラム
４０  パッキン部材
４１  折曲部
４２  密閉部
４３  密着部
４４  凹部
５０  ドア
５１  突出部
６０  異物
７０  排水ホール 
【図１】
2007061602.tif 000003
【図２】
2007061602.tif 000004
【図３】
2007061602.tif 000005